(57)【要約】【課題】この発明は、ディジタル保存装置を提供する。【解決手段】一つのマルチメモリカードインタフェース及び一つのUSBインタフェースをUSBコネクタフォーマットに合致された一つの共通バスのうちに集めて、且つ関連にするスイッチ回路を設けられて、この共通バスとフッラッシュメモリの間の回路連結を構成させて、マルチメモリ伝送機能を有するように構成して、且つ単一な共通バスと、それに対応されたコネクタポートとを介して接続して、電気装置に対応されたUSB伝送インタフェース又はSD伝送インタフェースと、MMC伝送インタフェースと、MSｐro伝送インタフェースと、XD伝送インタフェースと、SM伝送インタフェースと、CF伝送インタフェースなどを含むマルチメモリカード伝送インタフェースと信号のアクセスを行うディジタル保存装置。【選択図】図２
2007109050.tif 000002
【特許請求の範囲】
【請求項１】
一つのマルチメモリカード及び一つのUSBインタフェースをUSBコネクタフォーマットに合致された一つの共通バスのうちに集めせて、マルチメモリ伝送機能を有するように構成させて、且つ単一な共通バスと、それに対応されたコネクタポートとを介して接続させて、電気装置に対応されたUSB伝送インタフェース又はSD伝送インタフェースと、MMC伝送インタフェースと、MSｐro伝送インタフェースと、XD伝送インタフェースと、SM伝送インタフェースと、CF伝送インタフェースなどを含むマルチメモリカード伝送インタフェースと信号のアクセスを行うことを特徴とするディジタル保存装置。
【請求項２】
前記共通バスは、一つの第１接触ブロック及び少なくとも一つの第２接触ブロックを設けられ、前記第１接触ブロックうちの回路接点はUSB コネクタポートの対応モードに合致させて、前記第２接触ブロックうちの幾ら回路接点は所定の配置モードを有していることを特徴とする請求項１に記載のディジタル保存装置。
【請求項３】
前記第2接触ブロックうちのいくら回路接点は前記第１接触ブロックうちの回路接点と結合することによって、ディジタル保存装置を構成させて、マルチメモリカード伝送インタフェースを介して、接続された電気装置とデータの伝転を行われることを特徴とする請求項２に記載のディジタル保存装置。
【請求項４】
前記第１、第2接触ブロックはそれぞれプリント基板の上、下の両面を配置される特徴とする請求項１に記載のディジタル保存装置。
【請求項５】
前記第１、第2接触ブロックはそれぞれプリント基板の同一面の前、後ブロックの位置を配置される特徴とする請求項１に記載のディジタル保存装置。
【請求項６】
共通バスとメモリモジュールとの間の回路接続を構成する一つのスイッチ回路を設けられる特徴とする請求項１に記載のディジタル保存装置。
【請求項７】
前記スイッチ回路は一つのスイッチ回路のマニュアルモードによって、USBインタフェース及びマルチメモリカードの間の変換を行われる特徴とする請求項６に記載のディジタル保管装置。
【請求項８】
前記スイッチ回路は制御チップを設けられることによって、USBインタフェース及びマルチメモリカードの間の自動スイッチの使用を達成することができる特徴とする請求項６に記載のディジタル保管装置。
【請求項９】
前記制御チップはマルチインタフェース制御チップのものである特徴とする請求項８に記載のディジタル保管装置。
【請求項１０】
前記共通バスとメモリモジュールの間の回路連結する一つのスイッチ回路及び一つのファイル管理変換器を設けられる特徴とする請求項１に記載のディジタル保存装置。
【発明の詳細な説明】
【技術分野】
【０００１】
本発明はディジタル保存装置に関し、特に単一な共通バスとそれに対応されたコネクタポートを介して接続して、電気装置に対応されたUSB伝送インタフェース又は対応されたマルチメモリカード伝送インタフェースとのデータアクセスを行うディジタル保存装置に関するものです。
【背景技術】
【０００２】
小型ディジタル機種の市場規模は次第に大きくなっている（例えばディジタルカメラ、ビデオカメラ、MP3、携帯電話、…など）。直接影響されたのは内部のキーパーツですが、これらに対応した小型化、精巧化、そのパーツ技術を利用する発展も相対的に小型化、チップ化を主要な発展方向として、ミニに近いこれらのICパーツのプリント基板は、体積もますます小さくなって、密度もますます高くなってきている。
【０００３】
上記の小型ディジタル機種としては、ビデオデータ、ディジタル写真、MP3 音楽、ゲームデータ、…などを保存するメモリカード（例えばSmart Media（登録商標） Card、Security Digital Card、Multi Media Card、Memory Stick Card、CF Card、XD Card、…など）、メモリステッキなどのディジタル保存装置は既に多くのコンピュータユーザの身の回り品になっている。フロッピー（登録商標）ディスクに比べて、メモリカード、メモリステッキは体積が小さいですが、容量はフロッピー（登録商標）ディスクよりも多くなって、且つアセクスの速度も速い、さらに、この両方の保存装置はフロッピー（登録商標）ディスクのように湿気を帯びりやすいこと又は壊れられることがない、多くの消費者は次第にフロッピー（登録商標）ディスクの代りに、この両方の保存装置を身の回り品として使用する。
【０００４】
図１に示すように、プリント基板Eの上に、メモリステッキA及びメモリカードBを接続する伝送インタフェースは異なっている。メモリステッキ Aとしては、その伝送インタフェースはUSBコネクタ１００ですが、メモリカードBの伝送インタフェースは金指という導電端子２００で、従って、このプリント基板Eの上に、それぞれそれに対応されたUSBコネクタポートC及びメモリカードコネクタDを取り付ける二種類のインタフェースが必要で、使用の上にとても不便です。
【０００５】
さらに、プリント基板E上の回路レイアウトは原理図のコネクタ関係のみでなくで、回路工程のある要求(例えば高周波数特性、デバイスのインピータンス、イミュニティ、…など）も考えている。プリント基板上の取り付け穴、プラグ、位置決め穴及各種デバイスの配置位置は規定な位置に精確に取り付ける必要がある。周辺設備の接続を取り付けることに便利されて、良好的な通風放熱効果を保持して、且つプリンタ基板のソルダパッド、貫通孔（スールホール）、パタン、…などのレイアウトは全て信頼性の品質に影響を与える。同時に、デバイスの間に衝突されないように確保して、また取り付け、調整及びテスト、返品修理を便利に行うことができる。
【０００６】
言い換えて、ディジタル機種製品のミニ化は主に内部パーツ及びプリンタ基板のレイアウトの配置に依存されて、機能が多くなるほどそのプリンタ基板のレイアウト及びそのICパーツの配置も複雑になって、しかしながら、狭い回路のレイアウトに限られて、ICパーツと回線のレイアウトを再増設することは可能性がない任務で、多くのパーツを取り付けると、さらに体積を増大する恐れがある。
【０００７】
従って、プリンタ基板上の基板１のパーツは一つを集めると、その周辺設備との接続されたような伝送インタフェース（例えばUSBコネクタポート、メモリカードコネクタ、…）が簡略化させて、狭い回路レイアウトの中に、単一なインタフェースで規格が異なる多種なインタフェースを適用できて、次の積極的なメリットを得られる。
【０００８】
１、組み立て工程を節約できて、製造コストの低減も兼備する。
【０００９】
２、空間の占用を縮小し、電子製品はミニ設計へ向こうことに便利する。
【００１０】
３、単一なインタフェースで異なる伝送インタフェースを適用できて、且つ使用の便利性を有する。
【発明の開示】
【課題を解決するための手段】
【００１１】
本発明はこのような事情に鑑みてなされたものであって、一つのマルチメモリカードインタフェース及び一つのUSBインタフェースを一つのUSBコネクタフォーマットに合致された共通バスのうちに集めて、且つ関連にするスイッチ回路及び制御チップを設けることによって、共通バスとフラッシュメモリとの間の回路接続を構成して、マルチメモリ伝送機能を持ってなる構成しているように、且つ単一な共通バスと、それに対応されたコネクタポートとを介して接続して、電気装置に対応されたUSB伝送インタフェース又はSD伝送インタフェースまたはMMC伝送インタフェースと、MSｐro伝送インタフェースと、XD伝送インタフェースと、SM伝送インタフェースと、CF伝送インタフェースなどを含むマルチメモリカード伝送インタフェースと信号のアクセスを行うディジタル保存装置。
【００１２】
実施する場合、共通バスの全ては一つの第１接触ブロック及び少なくとも一つの第２接触ブロックを設けて、そのうち、第１接触ブロックうちの回路接点はUSB コンネクターポートの対応モードに合致して、主に、ディジタル保存装置を構成することによって接続された電気装置とのデータ伝送をUSB伝送インタフェースを介して行う。前記第２接触ブロックうちの幾ら回路接点は所定の配置モードを有して、主に、第１接触ブロック中の回路接点と結合して、ディジタル保存装置を構成することによって接続された電気装置とのデータ伝送をマルチメモリカードインタフェースを介し行う。
【００１３】
そして、ディジタル保存装置そのものとしては、単一な共通バスのみを設けることが必要だけで、且つこの共通バスの中の一部回路接点はマルチメモリカードインタフェースとUSBインタフェースとが重ね合わせて、ディジタル保存装置の体積を増加することがなく、及び使用上の不便性を増加することがない。使用に合わせた電気装置では、共通バスに対応された一つのコネクタポートのみを配置することが必要だけで、USB伝送インタフェース又はマルチメモリカードインタフェースを介して、このディジタル保管装置とのデータ伝送を行って、さらにプリント基板空間の節約、回路レイアウト及び取り付けの簡略化することを達成して、さらに全体の信頼性、及び在庫品及び物流コストを低減することを目的とする。
【発明を実施するための最良の形態】
【００１４】
本発明に関する詳細構成、使用機能、適用原理について、次の図面を参照して説明することからよく分かります。
【００１５】
まず、図２に示すように、図２は本発明の最適な実施例のブロック模式図です。同時に図３及び図４を参照して、図３及び図４に示すように、本発明はディジタル保存装置で、一つのプリント基板１を主体として、このプリント基板１は、一つの共通バス２と、連結回線と、及び関連にする制御チップと、スイッチ回路と、メモリモジュールなどのICパーツを設けられ、プリント基板１の外側に一層なハウジング４を覆われて、プリント基板１にある端部の共通バス２のみを露出させることによって、プリント基板１のICパーツに対してマスクを形成する。
【００１６】
その中に、共通バス２は一つの第１接触ブロック２１及び少なくとも一つの第２接触ブロック２２を設けられている。その第１接触ブロック２１うちの回路接点はUSBコネクタポートの対応モードに合致して、主に、ディジタル保存装置を構成することによって接続された電気装置とのデータ伝送をUSB伝送インタフェースを介し行う。第２接触ブロック２２うちの幾ら回路接点は所定の配置モードを有し、主に、第１接触ブロック中の回路接点と結合して、ディジタル保存装置を構成することによって接続された電気装置とのデータ伝送をマルチメモリカードインタフェースを介して行う。
【００１７】
実施する場合、第１接触ブロック２１と第２接触ブロック２２は図４に示すように、それぞれプリント基板１の上、下両方の基板面に配置して、又は図４に示すように、それぞれプリント基板１と同一な基板面の前、後ブロック位置の方式で同一な共通バス２を集めるの中に配置する。従って、ディジタル保存装置の全ては単一な共通バス２のみを設ける必要だけて、且つこの共通バス２中の一部回路接点(図の中に、第１接触ブロック２１の回路接点に属するものとする)の機能は、マルチメモリカードインタフェースとUSBインタフェースとが重ね合わせて、ディジタル保存装置の体積を増加することがなく、及び使用上の不便性を増加することがない。
【００１８】
同様に、本発明のディジタル保存装置に合わせて使用する電気装置では、共通バスに対応された一つのコンネクターポートのみを配置する必要だけで、USB伝送インタフェース又はマルチメモリカードインタフェースを介して、このディジタル保存装置とのデータ伝送を行われて、さらにプリント基板空間の節約、回路レイアウト及び取り付けの簡略化することを達成させ、さらに全体の信頼性、及び在庫品及び物流コストを低減させることを目的とする。
【００１９】
図６に示すように、本発明において、一つのスイッチ回路５でディジタル保存装置を制御することは、共通バス２中のUSBインタフェース又はマルチメモリカードインタフェースと、メモリモジュール中のフラッシュメモリを利用して、データのアクセスを行う。具体的に実施する場合、このスイッチ回路５は図７の示すように、一つのスイッチ回路５１のマニュアルモードによって、USBインタフェース及びマルチメモリカードインタフェースの間の変換を行って、又は図２に示すように、制御チップ５２を設けることによって、特に、マルチインタフェース制御チップでは、USBインタフェース及びマルチメモリカードインタフェースの間の自動スイッチの使用を達成させ、且つマルチメモリカード伝送インタフェースの間の伝送モードの異なることに対応して、さらに一つのファイル管理変換器６を設けることによって、スイッチ回路５とメモリモジュールとの間の回路連結を構成させて、ファイル管理変換器６を介してデータの変換をメモリモジュール３の所定フラッシュメモリ３１の中に、又はフラッシュメモリ３１の中のデータを出力させ、これらスイッチ方式は従来技術ですが、ここでは詳述しない。
【産業上の利用可能性】
【００２０】
上記の説明から分かるように、本発明は、単一なバスでメモリ装置をマルチメモリカード伝送インタフェース及びUSB伝送インタフェースに適用されている最適な配置に適用でき、産業の利用になされている。ただ、以上のように説明したものでは、本発明の最適な実施例だけで、本発明の実施範囲に限定されなく、本発明の特許請求の範囲による均一変化と修正も本発明の特許請求の範囲に含めている。
【図面の簡単な説明】
【００２１】
【図１】従来のメモリステッキ及びメモリカードの使用状態の参照図である。
【図２】本発明の最適な実施例のブロックの模式図である。
【図３】本発明におけるプリント基板の構成の模式図である。
【図４】本発明の第一、第二接触ブロックの配置状態の模式図である。
【図５】本発明の別の実施例の第１、第２接触ブロックの配置状態の模式図である。
【図６】本発明の最適な実施例のディジタル保存装置の外観構成である。
【図７】本発明の最適な回路構造図である。
【符号の説明】
【００２２】
A    メモリステッキ
B    メモリカード
C    USBコネクタポート
D    メモリカードコネクタ
１    プリント基板
２    共通バス
３    メモリモジュール
４    ハウジング
５    スイッチ回路
６    ファイル管理変換器
２１    第１接触ブロック
２２    第２接触ブロック  
３１    フラッシュメモリ
５１    切り替えスイッチ
５２    制御チップ
１００    USBコネクタ
２００    導電端子
【図１】
2007109050.tif 000003
【図２】
2007109050.tif 000004
【図３】
2007109050.tif 000005
【図４】
2007109050.tif 000006
【図５】
2007109050.tif 000007
【図６】
2007109050.tif 000008
【図７】
2007109050.tif 000009